(57)【要約】【課題】  水槽の底面の上方にネット等の障害物を有する大型の水槽において、底面の清掃が容易に且つ効率的に行える清掃装置を提供する。【解決手段】  可撓性を有するホース７の上流端に細長い吸引口が下部に形成された横長の吸引ヘッド５を接続し、その吸引ヘッド５に重り６を取り付けて吸引口が水槽１の底面から若干離れるように水槽１の底面に配置し、ホース７を槽外に引き回してその下流端を吸引ヘッド５の吸引口より低い位置に配置し、吸引ヘッド５を槽外で引張操作して水槽１の底面に沿って往復移動させるロープ８を設ける。吸引ヘッド５とホース７の内部を水Ｗで満たしてロープ８を引くと、吸引ヘッド５が水槽１の底面に沿って移動し、底面の沈殿物が水Ｗとともにサイホンの現象で連続的に吸い上げられて排出される。【選択図】  図４
2011160695.tif 000002
【特許請求の範囲】
【請求項１】
水槽の底面に沈殿した魚貝類の排泄物や残餌等の沈殿物を水とともに吸い上げて排出する水槽の清掃装置であって、可撓性を有するホースの上流端に細長い吸引口が下部に形成された横長の吸引ヘッドを接続し、その吸引ヘッドに重りを取り付けて吸引口が水槽の底面から若干離れるように水槽の底面に配置し、吸引ヘッドを槽外で操作して水槽の底面に沿って往復移動させる牽引部材を設けたことを特徴とする、水槽の清掃装置。
【請求項２】
吸引ヘッドと重りが細長い円筒状で、重りの一部の外径を吸引ヘッドの外径より大きく形成した、請求項１記載の水槽の清掃装置。
【請求項３】
ホースの下流端を吸引ヘッドの吸引口より低い位置に配置し、水槽内の水をサイホンにより吸い上げて排出できるようにした、請求項１又は２記載の水槽の清掃装置。
【請求項４】
水槽が、底面から所定高さの位置に魚貝類の通り抜けを規制するネットを敷設した構造で、そのネットの下方の水槽の底面に吸引ヘッドと重りを配置した、請求項１〜３いずれか記載の水槽の清掃装置。
【発明の詳細な説明】
【技術分野】
【０００１】
本発明は、水槽の底面に沈殿した魚貝類の排泄物や残餌等の沈殿物を水とともに吸い上げて排出する水槽の清掃装置に関する。
【背景技術】
【０００２】
従来の水槽の清掃装置が特許文献１に開示されている。この技術は、取っ手を備えた硬質の吸上げパイプと、その基端に抜き差し可能に接続される可撓性の導入パイプとで構成され、サイホンの現象を利用して吸上げパイプにより水槽の底面の沈殿物を水とともに吸い上げて排出できるようにした、というものである。
【０００３】
ところで、前記の技術は、金魚や熱帯魚等を観賞する小型の水槽には適しているが、水槽が数メートルに及ぶ大型の場合は時間と労力を伴い、効率が悪いものであった。特に、特許文献２で示されるアワビの飼育槽のように、魚貝類の通り抜けを規制するネットが底面から所定高さに敷設された水槽では、ネットが邪魔になって底面の清掃が困難であった。
【先行技術文献】
【特許文献】
【０００４】
【特許文献１】特開２０００−２０９９７８号公報
【特許文献２】特開２００４−１２９６０６号公報
【発明の概要】
【発明が解決しようとする課題】
【０００５】
本発明が解決しようとする課題は、従来のこれらの問題点を解消し、水槽の底面の上方にネット等の障害物を有する大型の水槽において、底面の清掃が容易に且つ効率的に行える清掃装置を提供することにある。
【課題を解決するための手段】
【０００６】
かかる課題を解決した本発明の構成は、
１）  水槽の底面に沈殿した魚貝類の排泄物や残餌等の沈殿物を水とともに吸い上げて排出する水槽の清掃装置であって、可撓性を有するホースの上流端に細長い吸引口が下部に形成された横長の吸引ヘッドを接続し、その吸引ヘッドに重りを取り付けて吸引口が水槽の底面から若干離れるように水槽の底面に配置し、吸引ヘッドを槽外で操作して水槽の底面に沿って往復移動させる牽引部材を設けたことを特徴とする、水槽の清掃装置
２）  吸引ヘッドと重りが細長い円筒状で、重りの一部の外径を吸引ヘッドの外径より大きく形成した、前記１）記載の水槽の清掃装置
３）  ホースの下流端を吸引ヘッドの吸引口より低い位置に配置し、水槽内の水をサイホンにより吸い上げて排出できるようにした、前記１）又は２）記載の水槽の清掃装置
４）  水槽が、底面から所定高さの位置に魚貝類の通り抜けを規制するネットを敷設した構造で、そのネットの下方の水槽の底面に吸引ヘッドと重りを配置した、前記１）〜３）いずれか記載の水槽の清掃装置
にある。
【発明の効果】
【０００７】
本発明によれば、ホースの下流端にポンプ等を接続して駆動させ、この状態で牽引部材を引くと、吸引ヘッドが水槽の底面に沿って移動し、底面の沈殿物が水とともに連続的に吸い上げられて排出される。したがって、吸引ヘッドの上方に障害物があっても邪魔にならず、しかも掃除機のように広い面積を一度に清掃できるから、従来技術と比較して清掃作業が容易に且つ効率的に行えるようになる。特に、ホースの下流端を吸引ヘッドの吸引口より低い位置に配置し、吸引ヘッドとホースの内部を水で満たすと、水槽内の水がサイホンの現象で自然に吸い上げられ続け、ポンプ等を駆動させることなく連続的に排出して清掃できるようになる。
【図面の簡単な説明】
【０００８】
【図１】実施例の水槽の一部切欠き平面図である。
【図２】図１のＡ−Ａ断面図である。
【図３】実施例の吸引ヘッドと重りの斜視図である。
【図４】実施例の清掃装置の使用状態を示す説明図である。
【図５】実施例の沈殿物の吸引を示す説明図である。
【発明を実施するための形態】
【０００９】
以下、本発明を実施するための形態を実施例と図面に基づいて具体的に説明する。
【実施例】
【００１０】
図１は実施例の水槽の一部切欠き平面図、図２は図１のＡ−Ａ断面図、図３は実施例の吸引ヘッドと重りの斜視図、図４は実施例の清掃装置の使用状態を示す説明図、図５は実施例の沈殿物の吸引を示す説明図である。
【００１１】
図中、１は水槽、１ａは通し輪、２は仕切板、２ａは張出板、２ｂは開口、２ｃはボルト、３はネット、３ａはゲタ、３ｂはグレーチング、４は空気管、５は吸引ヘッド、５ａは吸引口、５ｂは接続口、６は重り、６ａはワイヤー、７はホース、７ａはバルブ、８はロープ（牽引部材）、８ａは通し輪、９は引張り棒、Ａはアワビ、Ｗは水、Ｗａは沈殿物である。
【００１２】
本実施例の水槽１は、図１，２に示すように、長さ６．３ｍ、幅１．５ｍ、深さ９５ｃｍで、内底の前後隅部にはロープ８を通すための通し輪１ａを取り付けている。仕切板２は、珪澡土と充填材が混入されたＦＲＰ（繊維強化プラスチック）製で、側面に飼料を配置できる張出板２ａとアワビＡが行き来できる開口２ｂを形成している。ネット３は、アワビＡの排泄物や残餌等と水Ｗは通過できるが、アワビＡは通り抜けできない大きさのメッシュが形成されている。
【００１３】
吸引ヘッド５は、図３に示すように細長い円筒状で、下部に幅５〜１０ｍｍの横長の吸引口５ａを形成し、中間部はホース７と接続するための接続口５ｂを形成して吸引口５ａと連通している。重り６は、両端部の外径を吸引ヘッド５の外径より大きく形成した細長い円筒状で、吸引ヘッド５とホース７を沈底させることができる重量を有し、吸引ヘッド５に隣接してワイヤー６ａで左右を固定している。ホース７は可撓性を有し、下流端にバルブ７ａを取り付けている。
【００１４】
この吸引ヘッド５を水槽１の左右の底面に配置し、そのワイヤー６ａの前後にロープ８を結着する。その前後のロープ８を水槽１の前後の通し輪１ａに通して槽外に引き回し、そのロープ８の端に引張り棒９を通すための通し輪８ａを取り付ける。吸引ヘッド５の接続口５ｂにはホース７の上流端を接続して槽外に引き回す。吸引ヘッド５の外径は重り６の外径より小さいから、水槽１の底面に配置した状態で吸引口５ａが水槽１の底面からおよそ５ｍｍ離れている。また、重り６も両端部の拡径により水槽１の底面から若干離れている。
【００１５】
水槽１の左右隅部には高さ１０ｃｍのゲタ３ａを設けてグレーチング３ｂを架設し、そのグレーチング３ｂの上面にネット３を敷設している。グレーチング３ｂは、敷設したネット３が撓まないようにするためのものである。ネット３の上方の空間には多数枚の仕切板２をボルト２ｃで上下左右に間隔をおいて列設し、ブロワー（図示せず）に接続された空気管４を水槽１の前後左右の隅部と中間部に配管している。水Ｗは仕切板２が浸漬される水位に貯水している。
【００１６】
本実施例では、空気管４で水中に酸素を供給し、アワビＡの稚貝を仕切板２の側面に付着させ、ワムシやプランクトン類、藻類等の飼料を水中に投下する。飼料は仕切板２の張出板２ａ上に配置され、アワビＡがその飼料を食して育成される。張出板２ａ上に配置されなかった残餌やアワビＡの排泄物は沈降し、ネット３とグレーチング３ｂを通過して水槽１の底面に沈殿物Ｗａとして沈殿する。
【００１７】
ここで、水槽１の底面を清掃する際は、バルブ７ａを開放してホース７とともに水槽１の水Ｗに浸漬し、吸引ヘッド５とホース７の内部の空気を排出する。吸引ヘッド５とホース７の内部が水Ｗで満たされるとバルブ７ａを閉鎖して水中から取り出し、バルブ７ａを吸引ヘッド５の吸引口５ａより低い位置に配置する。バルブ７ａを開放すると、ホース７内の水Ｗが重力によりバルブ７ａ側の方へ引っ張られるとともに水槽１の水面が大気圧に押され、排出方向の水流が形成されて水槽１の水Ｗが自然に吸い上げられ続ける（サイホンの現象）。なお、サイホンの始動には小型のポンプを利用してもよい。
【００１８】
図４に示すように、この状態で一方の左右のロープ８の通し輪８ａに引張り棒９を通し、その引張り棒９を一定速度でゆっくりと引くと、左右の吸引ヘッド５が水槽１の底面に沿って同時に移動し、図５に示すように底面の沈殿物Ｗａが水Ｗとともに連続的に吸い込まれて排出される。吸引口５ａは水槽１の底面から離れているから、沈殿物Ｗａが円滑に吸引される。吸引ヘッド５は水平に移動するから、その上方のグレーチング３ｂは邪魔にならない。また、ロープ８も水中では通し輪１ａによって水平に引っ張られ、グレーチング３ｂには接触しない。
【００１９】
吸引ヘッド５が水槽１の端まで移動するとバルブ７ａを閉鎖し、他方のロープ８を引いて吸引ヘッド５を元の位置に移動させて清掃が完了する。作業頻度は１回／日でよい。なお、吸引ヘッド５を反対方向へ移動させる際、水槽１の底面に沈殿物Ｗａが残っていても、吸引ヘッド５と重り６は水槽１の底面から若干離れているから、沈殿物Ｗａを引き摺ることがない。このように、吸引ヘッド５の上方に障害物があっても邪魔にならず、しかも掃除機のように広い面積を一度に清掃できるから、従来技術と比較して清掃作業が容易に且つ効率的に行える。
【産業上の利用可能性】
【００２０】
本発明の技術は、アワビ等の魚貝類を飼育する水槽の清掃に有用である。
【符号の説明】
【００２１】
１  水槽
１ａ  通し輪
２  仕切板
２ａ  張出板
２ｂ  開口
２ｃ  ボルト
３  ネット
３ａ  ゲタ
３ｂ  グレーチング
４  空気管
５  吸引ヘッド
５ａ  吸引口
５ｂ  接続口
６  重り
６ａ  ワイヤー
７  ホース
７ａ  バルブ
８  ロープ（牽引部材）
８ａ  通し輪
９  引張り棒
Ａ  アワビ
Ｗ  水
Ｗａ  沈殿物
【図１】
2011160695.tif 000003
【図２】
2011160695.tif 000004
【図３】
2011160695.tif 000005
【図４】
2011160695.tif 000006
【図５】
2011160695.tif 000007